(57)【特許請求の範囲】
【請求項１】
基布（２）と、この基布（２）に植設され且つ前記基布（２）の表面（２ａ）から所定長さを備えたパイル（３）を有する人工芝生であって、
前記基布（２）は、少なくとも抗菌剤（４）を含有し、
前記パイル（３）は、前記基布（２）を貫通して当該基布（２）の裏面（２ｂ）側にバックステッチ（３ａ）を形成し、
このバックステッチ（３ａ）と前記基布（２）の裏面（２ｂ）にポリエチレンエマルジョン（５）が付与され、
前記基布（２）の裏面（２ｂ）側にシート状のメッシュ部材（６）を重ねた状態で前記パイル（３）が基布（２）に植設され、
前記パイル（３）の少なくとも一部は、前記基布（２）を貫通すると共に、前記メッシュ部材（６）のメッシュ目（６ａ）を抜け、
前記パイル（３）のバックステッチ（３ａ）と基布（２）の裏面（２ｂ）との間に前記メッシュ部材（６）の一部が位置し、
前記メッシュ部材（６）のメッシュ目（６ａ）は、前記パイル（３）が貫通して基布（２）に形成される貫通孔（１１）より大きいと共に、前記パイル（３）のバックステッチ（３ａ）は、前記メッシュ部材（６）を構成する糸と接触していない部分を有していることを特徴とする人工芝生。
【請求項２】
前記基布（２）に対するパイル（３）のＪＩＳ−Ｌ−１０２１−８：２０１０で規定される引抜き強さ（Ｈ）が５０Ｎ以上１５０Ｎ以下であることを特徴とする請求項１に記載の人工芝生。
【請求項３】
前記基布（２）は、ＪＩＳ−Ｚ−８７２１：１９９３で規定される明度が３．０以下の色で構成され、
前記ポリエチレンエマルジョン（５）は、ＪＩＳ−Ｚ−８７２１：１９９３で規定される明度が７．０以下の色で構成され、
前記メッシュ部材（６）は、ＪＩＳ−Ｚ−８７２１：１９９３で規定される明度が７．０以下の色で構成されていることを特徴とする請求項１又は２に記載の人工芝生。
【発明の詳細な説明】
【技術分野】
【０００１】
本発明は、基布に植設されたパイルを有する人工芝生、例えば、ペット用の人工芝生に関する。
【背景技術】
【０００２】
従来、ペット用の敷物としても使われる人工芝生が知られている（特許文献１の段落００２２）。
この人工芝生は、芝丈の高い部分と低い部分とを有するパイル層を基層上に設けてなり、かつ、圧縮距離を５ｍｍとしたときのパイル層の圧縮応力が２Ｐａ以上である。
【先行技術文献】
【特許文献】
【０００３】
【特許文献１】特開２００１−２８８７０８号公報
【発明の開示】
【発明が解決しようとする課題】
【０００４】
しかしながら、上述した特許文献１では、段落００２５で開示されたように、ホッパーに供給された熱可塑性樹脂などの原料が、押出機中で溶融されてスリットダイへ送り出され、スリットダイから冷却ロールへシート状に押し出される。
この冷却ロールは矢印Ｂ方向に回転しており、押し出された溶融樹脂はその一部が冷却ロール表面に設けられた穴に充填されて原糸を形成し、残りの樹脂で基層を形成する。
【０００５】
つまり、特許文献１の人工芝生は、基層とパイル層が一体に形成され、基層を貫通する孔等は存在せず、透水性が悪く、この透水性の悪さのために、不衛生となり易い。
又、透水性を確保するために、水を通す空隙を設けたとしても、当該空隙を設けるための工程が増え、作業効率が低下する。
【０００６】
本発明は、このような点に鑑み、基布に抗菌剤を含有させ、基布を貫通するパイルのバックステッチと基布の裏面にポリエチレンエマルジョン（ＰＥエマルジョン）を付与することによって、ポリエチレンエマルジョンがパイルの抜止めを行いつつ、パイルの貫通による基布に水が通る隙間を確保でき且つ抗菌剤とも相まった「衛生状態の確保」と、パイルを植設した基布の裏面へのポリエチレンエマルジョン付与だけで済むため「作業効率の向上」を両立できる人工芝生を提供することを目的とする。
【課題を解決するための手段】
【０００７】
本発明に係る人工芝生１は、基布２と、この基布２に植設され且つ前記基布２の表面２ａから所定長さを備えたパイル３を有する人工芝生であって、前記基布２は、少なくとも抗菌剤４を含有し、前記パイル３は、前記基布２を貫通して当該基布２の裏面２ｂ側にバックステッチ３ａを形成し、このバックステッチ３ａと前記基布２の裏面２ｂにポリエチレンエマルジョン５が付与され、前記基布２の裏面２ｂ側にシート状のメッシュ部材６を重ねた状態で前記パイル３が基布２に植設され、前記パイル３の少なくとも一部は、前記基布２を貫通すると共に、前記メッシュ部材６のメッシュ目６ａを抜け、前記パイル３のバックステッチ３ａと基布２の裏面２ｂとの間に前記メッシュ部材６の一部が位置し、前記メッシュ部材６のメッシュ目６ａは、前記パイル３が貫通して基布２に形成される貫通孔１１より大きいと共に、前記パイル３のバックステッチ３ａは、前記メッシュ部材６を構成する糸と接触していない部分を有していることを第１の特徴とする。
【０００８】
本発明に係る人工芝生１の第２の特徴は、上記第１の特徴に加えて、前記基布２に対するパイル３のＪＩＳ−Ｌ−１０２１−８：２０１０で規定される引抜き強さＨが５０Ｎ以上１５０Ｎ以下である点にある。
【０００９】
本発明に係る人工芝生１の第３の特徴は、上記第１又は２の特徴に加えて、前記基布２は、ＪＩＳ−Ｚ−８７２１：１９９３で規定される明度が３．０以下の色で構成され、前記ポリエチレンエマルジョン５は、ＪＩＳ−Ｚ−８７２１：１９９３で規定される明度が７．０以下の色で構成され、前記メッシュ部材６は、ＪＩＳ−Ｚ−８７２１：１９９３で規定される明度が７．０以下の色で構成されている点にある。
【００１１】
これらの特徴により、基布２に少なくとも抗菌剤４を含有させ、パイル３を基布２に貫通させて当該基布２の裏面２ｂ側にバックステッチ３ａを形成し、このバックステッチ３ａと基布２の裏面２ｂにポリエチレンエマルジョン（ＰＥエマルジョン）５を付与することで、ポリエチレン（ＰＥ）５ａがエマルジョン状態（分散状態）であるため、粉末状やフィルム状のポリエチレンよりも、パイル３が貫通して基布２に形成される孔（貫通孔１１）内に入り易く、基布２に対してパイル３をより強固に接着できる（パイル３の抜止め）。
このパイル３の抜止めと同時に、ＰＥエマルジョン５は、分散質であるポリエチレン５ａと、分散媒である水を含むため、付与後、所定時間経過すれば、分散媒である水が蒸発して、乾燥後は隙間（貫通隙間）１２が空き易く、しかも貫通隙間１２が内部に形成される貫通孔１１は、基布２全体に存在していることから、全面に貫通隙間１２が形成されることとなり、透水性が基布２全面で発揮される。
このような全面の透水性と共に、基布２に含有された抗菌剤４とも相まって、人工芝生１の衛生状態が確保される（衛生状態の確保）。
この衛生状態の確保と共に、人工芝生１は、パイル３を植設した基布２の裏面２ｂへのＰＥエマルジョン５の付与だけで、基布２にパイル３を植設した際に出来る貫通孔１１内に貫通隙間１２を形成したシンプルな構成となるため、作業の効率が上がる（作業効率の向上）。
つまり、本発明の人工芝生１は、「衛生状態の確保」と「作業効率の向上」の両立を実現できる。
尚、仮に、基布２がポリプロピレンで構成され、パイル３及びメッシュ部材６がポリエチレンで構成されていれば、パイル３の抜止めを行うＰＥエマルジョン５も含め、人工芝生１全体がポリオレフィンで構成されることとなり、リサイクルの容易化も図れる。
【００１２】
又、基布２の裏面２ｂ側にメッシュ部材６を重ねた状態でパイル３を基布２に植設し、パイル３の少なくとも一部が、基布２を貫通し且つメッシュ部材６のメッシュ目６ａを抜けて、バックステッチ３ａと基布２の裏面２ｂの間にメッシュ部材６を位置させることで、パイル３のバックステッチ３ａと、基布２の裏面２ｂとの間にも、必ず隙間（ステッチ隙間）１３が生じ、更に透水性が向上する。
この透水性の更なる向上と同時に、パイル３の抜止め、基布２の強度アップ等にも繋がる。
【００１３】
そして、基布２及びパイル３を合わせた人工芝生１の単位面積当たりの重さ（目付）Ｍを５００ｇ／ｍ2 以上３０００ｇ／ｍ2 以下とすることで、ＰＥエマルジョン５の分散媒である水の蒸発分だけ軽量化され（蒸発分だけ貫通隙間１２が形成され）、透水性が確保されているにも関わらず、基布２に形成されたパイル３による貫通孔１１内まで入り込んだＰＥエマルジョン５により、高い引抜き強さＨを確保できる。
【００１４】
尚、人工芝生１の目付Ｍを５００ｇ／ｍ2 以上３０００ｇ／ｍ2 以下とすると同時に、パイル３のＪＩＳ−Ｌ−１０２１−８：２０１０で規定される引抜き強さＨを５Ｎ以上３００Ｎ以下としても良い。
【発明の効果】
【００１５】
本発明に係る人工芝生によると、抗菌剤を含む基布を貫通するパイルのバックステッチと基布の裏面にポリエチレンエマルジョン５を付与して、「衛生状態の確保」と「作業効率の向上」を両立できる。
【図面の簡単な説明】
【００１６】
【図１】本発明に係る人工芝生の表面側を示す斜視図の図面代用写真である。
【図２】人工芝生の裏面側を示す斜視図の図面代用写真である。
【図３】人工芝生を示す断面図の図面代用写真である。
【図４】人工芝生の貫通孔、貫通隙間を示す断面図の図面代用写真である。
【図５】人工芝生のステッチ隙間を示す断面図の図面代用写真である。
【発明を実施するための形態】
【００１７】
＜全体構成＞
以下、本発明の実施の形態を図面を参照して説明する。
図１〜５には、本発明に係る人工芝生１が示されている。
この人工芝生１は、基布２と、この基布２の表面２ａ側から植設（タフト）されたパイル３を有している。
【００１８】
人工芝生１は、基布２に、少なくとも抗菌剤４を含有しており、基布２の裏面２ｂ側に形成されたバックステッチ３ａと基布２の裏面２ｂにポリエチレンエマルジョン５が付与されている。
又、人工芝生１は、基布２の裏面２ｂ側にメッシュ部材６を重ねた状態でパイル３が基布２に植設されていても良い。
【００１９】
＜基布２＞
図１〜５に示されたように、基布２は、植設された複数のパイル３を支えるシート状物であって、織物、編物、不織布等の布帛や、フィルムなどから構成される。
以下、基布２が、経糸と緯糸からなる織物で構成されている場合について詳解する。
【００２０】
基布２は、経糸、緯糸を有しているのであれば、平織や綾織、朱子織、畔織、二重織など、何れの織組織で構成されていても良い。
又、基布２を構成する糸は、何れの形状・構成であっても良いが、例えば、扁平状のフラットヤーン（モノフィラメント、マルチフィラメント）、スリットヤーン、スプリットヤーンなど何れであっても構わない。
【００２１】
基布２を構成する糸の繊度は、特に限定はないが、例えば、１０ｄｔｅｘ以上１００００ｄｔｅｘ以下であっても良い。
基布２を構成する糸が扁平状である場合には、その厚みや糸幅も、何れの値でも良いが、例えば、厚みは２０μｍ以上４００μｍ以下、糸幅は０．５ｍｍ以上３．０ｍｍ以下であっても構わない。
これらの糸で構成される基布２の厚みについて、特に限定はないが、例えば、０．１ｍｍ以上３．０ｍｍ以下（０．３ｍｍ等）であっても良い。
【００２２】
基布２の素材についても、特に限定はないが、例えば、ポリプロピレン（ＰＰ）、ポリエチレン（ＰＥ）等のポリオレフィンや、ポリエチレンテレフタレート（ＰＥＴ）等のポリエステル、ポリアミド（ナイロン６、ナイロン６，６等）などであっても構わない。
尚、基布２は、後述する抗菌剤４を含有している。
又、基布２は、ＵＶ吸収剤（カーボンブラック、ベンゾトリアゾール、ベンゾフェノン、トリアジン等）を含有していても良く、基布２の色は、何れであっても構わないが、例えば、光を反射し難いこと等を考慮して、明度が低い色（黒色等、例えば、ＪＩＳ−Ｚ−８７２１：１９９３で規定される明度が３．０以下の色）で構成されていても良い。
【００２３】
＜パイル３＞
図１〜５に示された如く、パイル３は、基布２に複数植設（つまり、１つの基布２に対して複数のパイル３が植設）され、その基布２の裏面２ｂ側に、それぞれバックステッチ３ａを形成している。
それぞれのパイル３を構成する糸（パイル糸）は、何れの形状・構成であっても良いが、例えば、扁平状のフラットヤーン（モノフィラメント、マルチフィラメント）、スリットヤーン、スプリットヤーンなど何れであっても良く、カットパイル又はループパイルの何れであっても構わない。
各パイル３の間隔についても、特に限定はないが、例えば、経緯（縦横）３ｍｍ以上２０ｍｍ以下としても良く、又、経の間隔と、緯の間隔が異なっていても良い（経５ｍｍ×緯１０ｍｍ、経５ｍｍ×緯２０ｍｍ）。
【００２４】
各パイル３を構成するパイル糸は、基布２の表面２ａから所定長さ（パイル長）を有しており、このパイル長は、何れの値であっても良いが、例えば、５ｍｍ以上１５０ｍｍ以下（３０ｍｍや、５５ｍｍ）などに設定されていても良い。
各パイル３を構成するパイル糸の繊度は、何れの値であっても構わないが、例えば、１００ｄｔｅｘ以上２００００ｄｔｅｘ以下（１１１００ｄｔｅｘ等）であっても良い。
パイル糸が扁平状である場合には、その厚みや糸幅も、何れの値でも良いが、例えば、厚みは２０μｍ以上４００μｍ以下、糸幅は０．５ｍｍ以上５．０ｍｍ以下であっても構わない。
【００２５】
パイル糸の素材についても、特に限定はないが、例えば、ポリエチレン（ＰＥ）、ポリプロピレン（ＰＰ）等のポリオレフィンや、ポリアミド（ナイロン６、ナイロン６，６等）、ポリ塩化ビニル（ＰＶＣ）、ポリ塩化ビニリデン（ＰＶＤＣ）、ポリエチレンテレフタレート（ＰＥＴ）等のポリエステルなどであっても構わない。
各パイル３を構成するパイル糸の色は、緑色であっても良いが、具体的には、ＪＩＳ−Ｚ−８７２１：１９９３で規定される色相が１．０ＧＹ〜７．５ＢＧの範囲内の色としても構わない。
【００２６】
尚、各パイル３は、所定の形状、パイル長、厚さ、糸幅、素材、色などを有した１種類のパイル糸で構成されていても良いが、異なる形状などを有した２種類以上のパイル糸で構成されていても良い。
例えば、特に図３〜５で示したように、各パイル３を構成するパイル糸が３種類であっても良く、この３種類のパイル糸を、第１パイル糸３Ａ、第２パイル糸３Ｂ、第３パイル糸３Ｃとする。
【００２７】
第１パイル糸３Ａは、扁平状のモノフィラメントのフラットヤーンであって、略真っ直ぐ（つまり、捲縮をせず）、基布２の表面２ａから伸びている。尚、第１パイル糸３Ａは、やや湾曲していたり、傾斜していても良い。
第１パイル糸３Ａの色は、上述したように、所謂緑色であって、ＪＩＳ−Ｚ−８７２１：１９９３で規定される色相が１．０ＧＹ〜７．５ＢＧの範囲内の色としても良い。
【００２８】
第２パイル糸３Ｂは、第１パイル糸３Ａと同様に、緑色（ＪＩＳ−Ｚ−８７２１：１９９３で規定される色相が１．０ＧＹ〜７．５ＢＧの範囲内の色）であるが、その形状が捲縮していることが最も異なる。
第２パイル糸３Ｂの形状は、基布２が貫通された孔（後述する貫通孔１１）から表面２ａ側に出ている部分が捲縮しており、この捲縮状態にある第２パイル糸３Ｂの高さ（パイル高）は、捲縮していない第１パイル糸３Ａより低い。
【００２９】
尚、第２パイル糸３Ｂの長さ（パイル長）は、捲縮した部分を伸ばすと、第１パイル糸３Ａと略同一であっても良い。
又、第２パイル糸３Ｂの糸幅は、第１パイル糸３Ａより幅狭であっても構わない。
【００３０】
第３パイル糸３Ｃは、第２パイル糸３Ｂと同様に、捲縮しているものの、枯葉色である点が、第１パイル糸３Ａ、第２パイル糸３Ｂとの最も異なる点である。
ここでいう枯葉色とは緑色の植物の葉等が枯れて変色してあらわれる黄色、ベージュ色、茶色などであり、具体的には、ＪＩＳ−Ｚ−８７２１：１９９３で規定される色相が１．０ＹＲ〜１０．０Ｙの範囲内の色である。
【００３１】
捲縮について詳解しれば、第３パイル糸３Ｃも、基布２の貫通孔１１から表面２ａ側に出ている部分が捲縮しており、この捲縮状態にある第３パイル糸３Ｃのパイル高は、捲縮していない第１パイル糸３Ａより低い。
尚、第３パイル糸３Ｃは、パイル長も、捲縮した部分を伸ばすと、第１パイル糸３Ａと略同一であっても良く、第２パイル糸３Ｂの糸幅は、第１パイル糸３Ａより幅狭であっても構わない。
これら捲縮した第３パイル糸３Ｃと第２パイル糸３Ｂによって、略真っ直ぐに伸びる第１パイル糸３Ａの基端部を支えていると共に、各パイル３の抜止めになっているとも言える。
【００３２】
＜貫通孔１１＞
図４に示された如く、複数のパイル３は、それぞれが、植設される基布２を貫通（複数の貫通孔１１の形成）している。
つまり、各パイル３（各パイル糸）は、表面２ａ側から基布２を貫通し、裏面２ｂ側で植設方向（タフト方向、経方向）に沿って所定距離のびて上述したバックステッチ３ａを形成した後、裏面２ｂ側から再び基布２を貫通しているため、１つのパイル３につき、２つの貫通孔１１が形成される。
尚、上述した各パイル３は、ルーズパイルとも言えるが、基布２を貫通する回数３回以上となるファストパイルであっても良い。
【００３３】
＜抗菌剤４＞
図１〜５に示されたように、抗菌剤４は、抗菌性を有する剤を言い、本発明における「抗菌性」とは、ＪＩＳ−Ｌ−１９０２：２００８で規定されるように、「細菌の増殖を抑制させる性質」を意味する。
尚、本発明において抗菌剤４を「含有する」とは、練り込み等にて基布２を構成する糸の内部に抗菌剤４を有すること、スプレーや刷毛等による塗布若しくは浸漬処理などにて基布２を構成する糸の表面に、又は、糸等にて構成された基布２の表面に抗菌剤４を有することを意味する。
【００３４】
抗菌剤４は、上述した抗菌性を有する剤であれば、何れの素材であっても良いが、例えば、銀イオン（Ａｇ+ ）、亜鉛イオン（Ｚｎ2+）、銅イオン（Ｃｕ2+）等の金属イオンや、酸化チタン（二酸化チタン、ＴｉＯ2 ）などの無機抗菌剤でも構わない。
この無機抗菌剤の他、有機抗菌剤としては、５−クロロ−２，４，６−トリフロロイソフタロニトリル等のニトリル系化合物、２−クロロ−６−トリクロロメチルピリジン、２−クロロ−４−トリクロロメチル−６−メトキシピリジン、２−クロロ−４−トリクロロメチル−６−（２−フリルメトキシ）ピリジン、ジ（４−クロロフェニル）ピリジルメタノール、２，３，５−トリクロロ−４−（ｎ−プロピルスルフォニル）ピリジン、２−ピリジルチオール−１−オキシド亜鉛、ジ（２−ピリジルチオール−１−オキシド）等のピリジン系化合物、Ｎ−トリクロロメチルチオフタルイミド、Ｎ−１，１，２，２−テトラクロロエチルチオテトラヒドロフタルイミド、Ｎ−トリクロロメチルチオテトラヒドロフタルイミド、Ｎ−トリクロロメチルチオ−Ｎ−（フェニル）メチルスルファミド、Ｎ−トリクロロメチルチオ−Ｎ−（４−クロロフェニル）メチルスルファミド、Ｎ−（１−フロロ−１，１，２，２−テトラクロロエチルチオ）−Ｎ−（フェニル）メチルスルファミド、Ｎ−（１，１−ジフロロ−１，２，２−トリクロロエチルチオ）−Ｎ−（フェニル）メチルスルファミド、Ｎ，Ｎ−ジクロロフロロメチルチオ−Ｎ’−フェニルスルファミド、Ｎ，Ｎ−ジメチル−Ｎ’−（ｐ−トリル）−Ｎ’−（フロロジクロロメチルチオ）スルファミド等のハロアルキルチオ系化合物、１−ジヨードメチルスルフォニル−４−クロロベンゼン、３−ヨード−２−プロパルギルブチルカルバミン酸、４−クロロフェニル−３−ヨードプロパルギルホルマール、３−エトキシカルボニルオキシ−１−ブロム−１，２−ジヨード−１−プロペン、２，３，３−トリヨードアリルアルコール等の有機ヨード系化合物、４，５−ジクロロ−２−シクロヘキシル−４−イソチアゾリン−３−オン、２−（４−チオシアノメチルチオ）ベンズチアゾール、２−メルカプトベンズチアゾール亜鉛等のチアゾール系化合物、及び、１Ｈ−２−チオシアノメチルチオベンズイミダゾール、２−（２−クロロフェニル）−１Ｈ−ベンズイミダゾール等のベンズイミダゾール系化合物などがある。
【００３５】
このような抗菌剤４が基布２に含有されているため、各パイル３間を通り、基布２の表面２ａ側まで落ちてきた液体（ペットの尿等の排泄物や、雨水など）による細菌の繁殖を抑えられる。
尚、抗菌剤４は、少なくとも基布２に含有されているものであって、基布２以外にも、パイル３や、ポリエチレンエマルジョン５、メッシュ部材６に含有されていても良い。
【００３６】
＜ポリエチレンエマルジョン５＞
図２〜５に示された如く、ポリエチレンエマルジョン（ＰＥエマルジョン）５は、基布２の裏面２ｂと、パイル３のバックステッチ３ａに付与されるものである。
ＰＥエマルジョン５は、パイル３のバックステッチ３ａを基布２に接着固定するための接着剤（裏打ち用接着剤）であるとも言える。
【００３７】
ＰＥエマルジョン５は、ポリエチレン（ＰＥ）５ａがエマルジョン状態（分散状態）であるため、粉末状やフィルム状のポリエチレンよりも、パイル３が貫通して基布２に形成される貫通孔１１内に入り易く、基布２に対してパイル３をより強固に接着できる（パイル３の抜止め）。
このパイル３の抜止めと同時に、ＰＥエマルジョン５は、分散質であるポリエチレン５ａと、分散媒である水を含むため、付与後、所定時間経過すれば、分散媒である水が蒸発して、乾燥後は隙間（貫通隙間）１２が空き易く、しかも貫通隙間１２が内部に形成される貫通孔１１は、基布２全体に存在していることから、全面に貫通隙間１２が形成されることとなり、透水性が基布２全面で発揮される。
【００３８】
このような全面の透水性と共に、基布２に含有された抗菌剤４とも相まって、人工芝生１の衛生状態が確保される（衛生状態の確保）。
この衛生状態の確保と共に、人工芝生１は、パイル３を植設した基布２の裏面２ｂへのＰＥエマルジョン５の付与だけで、基布２にパイル３を植設した際に出来る貫通孔１１内に貫通隙間１２を形成したシンプルな構成となるため、作業の効率が上がる（作業効率の向上）。
つまり、本発明の人工芝生１は、「衛生状態の確保」と「作業効率の向上」の両立を実現できる。
【００３９】
基布２の裏面２ｂとバックステッチ３ａに対するＰＥエマルジョン５の付与量（乾燥塗布量）Ｆは、上述した貫通隙間１２を確保できるのであれば、何れの値であっても良いが、例えば、１００ｇ／ｍ2 以上１０００ｇ／ｍ2 以下であっても構わない。
又、ＰＥエマルジョン５の色について、特に限定はないが、例えば、明度が高い色（白色等、例えば、ＪＩＳ−Ｚ−８７２１：１９９３で規定される明度が７．０以下の色）であっても良い。
尚、仮に、基布２がポリプロピレンで構成され、パイル３及びメッシュ部材６がポリエチレンで構成されていれば、パイル３の抜止めを行うＰＥエマルジョン５も含め、人工芝生１全体がポリオレフィンで構成されることとなり、リサイクルの容易化も図れる。
【００４０】
＜メッシュ部材６＞
図２〜５に示されたように、メッシュ部材６は、メッシュ目６ａを有したシート状のものであって、ネット状物（網部材）であるとも言える。
メッシュ部材６は、メッシュ目６ａを形成するのであれば、織物、編物等で構成されていても良い。
以下、メッシュ部材６が、経糸と緯糸からなる織物で構成されている場合について詳解する。
【００４１】
メッシュ部材６は、構成する経糸・緯糸の間に、所定間隔を有することで、メッシュ目６ａを形成するのであれば、平織や綾織、朱子織など、何れの織組織で構成されていても良い。
又、メッシュ部材６を構成する糸は、何れの形状・構成であっても良いが、例えば、扁平状のフラットヤーン（モノフィラメント、マルチフィラメント）、スリットヤーン、スプリットヤーンのほか、断面略円形状のモノフィラメントやマルチフィラメントなど何れであっても構わない。
【００４２】
メッシュ部材６を構成する糸の繊度は、特に限定はないが、例えば、１０ｄｔｅｘ以上１００００ｄｔｅｘ以下であっても良い。
メッシュ部材６を構成する経糸と緯糸は、その形状や繊度が、同じであっても、異なっていても良く、例えば、経糸が扁平状で、緯糸が断面略円形状であったり、経糸の繊度が緯糸の繊度より小さい（つまり、経糸が緯糸より細い）、又は、その逆等であっても構わない。
尚、メッシュ部材６を構成する糸が扁平状である場合には、その厚みや糸幅も、何れの値でも良いが、例えば、厚みは２０μｍ以上４００μｍ以下、糸幅は０．５ｍｍ以上３．０ｍｍ以下であっても構わない。
【００４３】
メッシュ部材６を構成する糸の素材についても、特に限定はないが、例えば、ポリエチレン（ＰＥ）、ポリプロピレン（ＰＰ）等のポリオレフィンや、ポリアミド（ナイロン６、ナイロン６，６等）、ポリ塩化ビニル（ＰＶＣ）、ポリ塩化ビニリデン（ＰＶＤＣ）、ポリエチレンテレフタレート（ＰＥＴ）等のポリエステルなどであっても構わない。
メッシュ部材６の色は、何れであっても構わないが、例えば、明度が高い色（白色等、例えば、ＪＩＳ−Ｚ−８７２１：１９９３で規定される明度が７．０以下の色）であっても良い。
【００４４】
このようなメッシュ部材６を、基布２の裏面２ｂ側に重ねた状態でパイル３を基布２に植設することによって、パイル３の少なくとも一部が、基布２を貫通すると共に、メッシュ部材６のメッシュ目６ａを抜けて、バックステッチ３ａと基布２の裏面２ｂの間にメッシュ部材６が位置することとなる。
このため、パイル３のバックステッチ３ａと、基布２の裏面２ｂとの間にも、必ず隙間（ステッチ隙間）１３が生じ、更に透水性が向上する。
この透水性の更なる向上と同時に、パイル３の抜止め、基布２の強度アップ等にも繋がる。
又、メッシュ部材６に、パイル３が引っ掛かって、抜止めになっているとも言える。
【００４５】
＜単位面積当たりの重さ（目付）Ｍ・引抜き強度Ｈ＞
このような人工芝生１は、単位面積当りの重さ（つまり、目付）Ｍが、５００ｇ／ｍ2 以上３０００ｇ／ｍ2 以下、好ましくは６００ｇ／ｍ2 以上２０００ｇ／ｍ2 以下、更に好ましくは６００ｇ／ｍ2 以上１２００ｇ／ｍ2 以下である。
これは、基布２に対してパイル３を接着固定するためにＰＥエマルジョン５を用いることで、分散媒である水の蒸発分だけ軽量化され（蒸発分だけ貫通隙間１２が形成され）、透水性が確保されているにも関わらず、基布２に形成されたパイル３による貫通孔１１内まで入り込んだＰＥエマルジョン５により、高い引抜き強さＨを確保できる。
【００４６】
上述したメッシュ部材６を、基布２の裏面２ｂ側に重ねた状態でパイル３を基布２に植設している場合には、この引抜き強さＨが更に高まる。
尚、本発明の「引抜き強さＨ」とは、ＪＩＳ−Ｌ−１０２１−８：２０１０で規定される引抜き強さであり、パイル３が１本のパイル糸から構成される際には、そのパイル糸そのものの引抜き強さを意味し、パイル３が複数のパイル糸から構成される際には、その複数のパイル糸をまとめた一束あたりの引抜き強さを意味する。
【００４７】
具体的なパイル３の引抜き強さＨは、５Ｎ（Ｎ／パイル）以上３００Ｎ（Ｎ／パイル）以下、好ましくは１０Ｎ（Ｎ／パイル）以上２００Ｎ（Ｎ／パイル）以下、更に好ましくは５０Ｎ（Ｎ／パイル）以上１５０Ｎ（Ｎ／パイル）以下である。
従って、本発明の人工芝生１は、ＰＥエマルジョン５をパイル３の接着固定に用いたり、基布２の裏面２ｂ側にメッシュ部材６を重ねてパイル３を植設することで、軽量化（すなわち、透水性の向上）が図られた割には、高い引抜き強さが確保されている。
尚、これを逆に捉えれば、パイル３の引抜き強さＨが５Ｎ以上３００Ｎ以下であると同時に、目付Ｍが５００ｇ／ｍ2 以上３０００ｇ／ｍ2 以下である人工芝生１が実現できれば、パイル３の接着剤としてＰＥエマルジョン５を用いたり、基布２の裏面２ｂ側にメッシュ部材６を重ねてパイル３を植設したり、いずれの構成であっても構わない。
【００４８】
＜その他＞
本発明は、前述した実施形態に限定されるものではない。人工芝生１等の各構成又は全体の構造、形状、寸法などは、本発明の趣旨に沿って適宜変更することが出来る。
人工芝生１は、基布２の全面に形成された貫通隙間１２、ステッチ隙間１３の他に、所定間隔ごとに隙間孔２１を基布２に形成しても良い（図２、５参照）。
【００４９】
人工芝生１は、基布２の表面２ａ側であって、パイル３の間に、粒体を有していても良い。
この粒体としては、ゴムチップ、プラスチックチップ、コルクチップ、硅砂、ガラス粉砕品、貝殻粉砕品などが、通常、粒度３ｍｍ以下に形成されたものが用いられ、人工芝生１に対して、各パイル３の上端部を所定距離（例えば、２５ｍｍ）突出させるように各パイル３間に充填されても良い。
【００５０】
人工芝生１は、赤外線反射剤を含有していても良く、例えば、上述した粒体の表面に赤外線反射剤層を形成した、この赤外線反射剤層を有した粒体を、各パイル３間に充填させても構わない。
抗菌剤４は、上述したように、少なくとも基布２に含有されているが、上述した粒体に含有されていても構わない。
【産業上の利用可能性】
【００５１】
本発明に係る人工芝生１は、ペット用だけでなく、野球場、サッカー場、フットサル場、テニスコート、ラグビー場、ゲートボール場、ゴルフ練習用マット、競馬場のパドック、プールサイドのマット等のスポーツ用途、公園や病院、学校、幼稚園のようなパブリックスペース、家庭の庭園やテラス、ベランダなどにも利用できる。
【符号の説明】
【００５２】
１      人工芝生
２      基布
２ａ    基布の表面
２ｂ    基布の裏面
３      パイル
３ａ    パイルのバックステッチ
４      抗菌剤
５      ポリエチレンエマルジョン（ＰＥエマルジョン）
６      メッシュ部材
６ａ    メッシュ部材のメッシュ目
Ｍ      人工芝生の単位面積当たりの重さ（目付）
Ｈ      パイルの引抜き強さ
【図１】
0006399880.tif 000002
【図２】
0006399880.tif 000003
【図３】
0006399880.tif 000004
【図４】
0006399880.tif 000005
【図５】
0006399880.tif 000006